(57)【特許請求の範囲】
【請求項１】
底部にパチンコ玉の排出孔を有するとともにこの排出孔を開閉するシャッタ板およびこのシャッタ板を開閉する駆動作用を外部から受ける駆動受部を有するパチンコ玉収容箱を運搬し、パチンコ玉計数機の台車装填部へ装填されるパチンコ玉運搬用台車であって、
前記パチンコ玉収容箱を搭載する台車本体と、
この台車本体にパチンコ玉収容箱を搭載するときに前記駆動受部に係合して前記パチンコ玉収容箱のシャッタ板を開放させる作動部と、
前記台車本体に搭載されたパチンコ玉収容箱の排出孔に臨んで開口し、パチンコ玉収容箱の排出孔から流出されるパチンコ玉を台車本体から放出させる台車側排出孔と、
この台車側排出孔を開閉可能に設けられ、前記パチンコ玉計数機の台車装填部への非装填時には台車側排出孔を閉塞するとともに、前記パチンコ玉計数機の台車装填部への装填動作に連動して台車側排出孔を開放する台車側シャッタと、
この台車側シャッタを台車側排出孔の閉塞方向に付勢する弾性部材と
を具備していることを特徴とするパチンコ玉運搬用台車。
【請求項２】
底部にパチンコ玉の排出孔を有するとともにこの排出孔を開閉するシャッタ板およびこのシャッタ板を開閉する駆動作用を外部から受ける駆動受部を有するパチンコ玉収容箱を運搬し、パチンコ玉計数機の台車装填部へ装填されるパチンコ玉運搬用台車であって、
前記パチンコ玉収容箱を搭載する台車本体と、
この台車本体にパチンコ玉収容箱を搭載するときに前記駆動受部に係合して前記パチンコ玉収容箱のシャッタ板を開放させる作動部と、
前記台車本体に搭載されたパチンコ玉収容箱の排出孔に臨んで開口し、パチンコ玉収容箱の排出孔から流出されるパチンコ玉を台車本体から放出させる台車側排出孔と、
スライドして前記台車側排出孔を開閉可能に設けられ、前記パチンコ玉計数機の一部と当接する係合部を有し、前記パチンコ玉計数機の台車装填部へ非装填時には前記台車側排出孔を閉塞するとともに、装填時には前記係合部が前記パチンコ玉計数機の一部と当接して移動が規制され、装填動作に連動して台車本体に対し相対的にスライドすることで前記台車側排出孔を開放する台車側シャッタと、
この台車側シャッタを台車側排出孔の閉塞方向に付勢する弾性部材と
を具備していることを特徴とするパチンコ玉運搬用台車。
【請求項３】
底部にパチンコ玉の排出孔を有するとともにこの排出孔を開閉するシャッタ板およびこのシャッタ板を開閉する駆動作用を外部から受ける駆動受部を有するパチンコ玉収容箱を運搬し、パチンコ玉計数機の台車装填部へ装填されるパチンコ玉運搬用台車であって、
前記パチンコ玉収容箱を搭載する台車本体と、
この台車本体にパチンコ玉収容箱を搭載するときに前記駆動受部に係合して前記パチンコ玉収容箱のシャッタ板を開放させる作動部と、
前記台車本体に搭載されたパチンコ玉収容箱の排出孔に臨んで開口し、パチンコ玉収容箱の排出孔から流出されるパチンコ玉を台車本体から放出させる台車側排出孔と、
回転して前記台車側排出孔を開閉可能に設けられ、前記パチンコ玉計数機の有するラックギヤと噛合するピニオンギヤを有し、前記パチンコ玉計数機の台車装填部へ非装填時には前記台車側排出孔を閉塞するとともに、装填時には前記ピニオンギヤが前記パチンコ玉計数機のラックギヤと噛合し、装填動作に連動して回動することで前記台車側排出孔を開放する台車側シャッタと、
この台車側シャッタを台車側排出孔の閉塞方向に付勢する弾性部材と
を具備していることを特徴とするパチンコ玉運搬用台車。
【請求項４】
請求項１ないし３いずれか記載のパチンコ玉運搬用台車の装填が可能な台車装填部と、
この台車装填部へのパチンコ玉運搬用台車の装填動作に連動して台車側シャッタを開放方向へ移動させ、台車側排出孔を開放させるシャッタ開放手段と、
前記台車装填部へ装填されるパチンコ玉運搬用台車の台車側排出孔から放出されるパチンコ玉を受け入れる受入口と、
この受入口に受け入れたパチンコ玉を計数するパチンコ玉計数装置と
を具備していることを特徴とするパチンコ玉計数機。
【請求項５】
パチンコ玉計数装置は、
受入口の底に傾斜状態に設けられ、最下層のパチンコ玉を傾斜方向に整列させるとともにその傾斜に沿って転動させる複数列の整列手段と、
この複数列の整列手段との間にパチンコ玉１個が通過し得る間隔をあけて設けられ、前記整列手段に対向する側がパチンコ玉の転動方向と逆方向へ移動すべく回転する逆転ローラと、
この逆転ローラの下流位置で前記複数列の整列手段毎に設けられ、転動するパチンコ玉の通過を検知するパチンコ玉計数センサとを備えている
ことを特徴とする請求項４記載のパチンコ玉計数機。
【発明の詳細な説明】
【０００１】
【発明の属する技術分野】
本発明は、パチンコ玉を収容したパチンコ玉収容箱を運搬するパチンコ玉運搬用台車、およびこのパチンコ玉運搬用台車で運搬されてきたパチンコ玉収容箱のパチンコ玉を計数するパチンコ玉計数機に関する。
【０００２】
【従来の技術】
従来、パチンコ玉計数機はパチンコホールのカウンター等に設置され、所定の高さを有するカウンター等の上に載置されていた。そして、遊技者が獲得したパチンコ玉をそのホールに設置されている大、中、小いずれかのパチンコ玉収容箱（以下、玉箱という）に入れてカウンター等に持参し、そこに設置されているパチンコ玉計数機のホッパへパチンコ玉を流し込むようにしている。
【０００３】
また、例えば、実開昭６１−５４８８５号公報または特開平８−２１５４１２号公報に記載されているように、大と中の大きめの玉箱については、玉箱とパチンコ玉計数機に工夫をし、パチンコ玉が入った玉箱をパチンコ玉計数機のホッパの上に載せるだけで、玉箱の底面または側面が開口され、玉箱をひっくり返さなくともパチンコ玉計数機のホッパの中へパチンコ玉が流出するようにしたものも提案されている。
【０００４】
一方、最近では遊技者が獲得するパチンコ玉の量が多くなり、一度に複数の玉箱をカウンター等の計数機が載置されている場所まで運搬しなければならなくなったために、玉箱の運搬に玉箱を重ねて載置できる台車が使用されるようになっている。
【０００５】
【発明が解決しようとする課題】
しかしながら、前述した従来のパチンコ玉計数機と玉箱および台車を使用した運用方法では、台車で運搬してきた玉箱を手作業によりパチンコ玉計数機のホッパの位置まで持ち上げなければならず、多大な労力が必要であり、操作性が悪いといった問題がある。
【０００６】
本発明は、このような点に鑑みなされたもので、パチンコ玉収容箱を搭載した状態でパチンコ玉計数機に装填してそのパチンコ玉収容箱内のパチンコ玉を排出させることができるパチンコ玉運搬用台車、および、パチンコ玉運搬用台車で搬送してきたパチンコ玉収容箱をパチンコ玉運搬用台車ごと装填するだけで自動的にパチンコ玉収容箱内のパチンコ玉を排出させて計数することができるパチンコ玉計数機を提供することを目的とする。
【０００７】
【課題を解決するための手段】
請求項１記載のパチンコ玉運搬用台車は、底部にパチンコ玉の排出孔を有するとともにこの排出孔を開閉するシャッタ板およびこのシャッタ板を開閉する駆動作用を外部から受ける駆動受部を有するパチンコ玉収容箱を運搬し、パチンコ玉計数機の台車装填部へ装填されるパチンコ玉運搬用台車であって、前記パチンコ玉収容箱を搭載する台車本体と、この台車本体にパチンコ玉収容箱を搭載するときに前記駆動受部に係合して前記パチンコ玉収容箱のシャッタ板を開放させる作動部と、前記台車本体に搭載されたパチンコ玉収容箱の排出孔に臨んで開口し、パチンコ玉収容箱の排出孔から流出されるパチンコ玉を台車本体から放出させる台車側排出孔と、この台車側排出孔を開閉可能に設けられ、前記パチンコ玉計数機の台車装填部への非装填時には台車側排出孔を閉塞するとともに、前記パチンコ玉計数機の台車装填部への装填動作に連動して台車側排出孔を開放する台車側シャッタと、この台車側シャッタを台車側排出孔の閉塞方向に付勢する弾性部材とを具備しているものである。
【０００８】
パチンコ玉運搬用台車で運搬してきたパチンコ玉収容箱をパチンコ玉運搬用台車ごとパチンコ玉計数機に装填するだけで、自動的にパチンコ玉収容箱内のパチンコ玉をパチンコ玉計数機へ排出させることにより、重いパチンコ玉収容箱をパチンコ玉運搬用台車から移し換えるために持ち上げる必要がなく、パチンコ玉量が多量であっても計数処理が容易になるとともに、パチンコ玉の計数に要する処理時間が短時間になる。しかも、台車本体にパチンコ玉収容箱を載置することによってパチンコ玉収容箱のシャッタ板を開放するとともに台車側シャッタによってパチンコ玉収容箱から流出するパチンコ玉を台車内に止めることにより、パチンコ玉収容箱のシャッタ板を開放するための駆動源を不要にし、簡単かつ安価な構成になる。さらに、パチンコ玉運搬用台車をパチンコ玉計数機の台車装填部へ装填する動作に連動して台車側シャッタを開放することにより、台車側シャッタを開放するための駆動源を不要にし、簡単かつ安価な構成になる。
【０００９】
請求項２記載のパチンコ玉運搬用台車は、底部にパチンコ玉の排出孔を有するとともにこの排出孔を開閉するシャッタ板およびこのシャッタ板を開閉する駆動作用を外部から受ける駆動受部を有するパチンコ玉収容箱を運搬し、パチンコ玉計数機の台車装填部へ装填されるパチンコ玉運搬用台車であって、前記パチンコ玉収容箱を搭載する台車本体と、この台車本体にパチンコ玉収容箱を搭載するときに前記駆動受部に係合して前記パチンコ玉収容箱のシャッタ板を開放させる作動部と、前記台車本体に搭載されたパチンコ玉収容箱の排出孔に臨んで開口し、パチンコ玉収容箱の排出孔から流出されるパチンコ玉を台車本体から放出させる台車側排出孔と、スライドして前記台車側排出孔を開閉可能に設けられ、前記パチンコ玉計数機の一部と当接する係合部を有し、前記パチンコ玉計数機の台車装填部へ非装填時には前記台車側排出孔を閉塞するとともに、装填時には前記係合部が前記パチンコ玉計数機の一部と当接して移動が規制され、装填動作に連動して台車本体に対し相対的にスライドすることで前記台車側排出孔を開放する台車側シャッタと、この台車側シャッタを台車側排出孔の閉塞方向に付勢する弾性部材とを具備しているものである。
【００１０】
パチンコ玉運搬用台車で運搬してきたパチンコ玉収容箱をパチンコ玉運搬用台車ごとパチンコ玉計数機に装填するだけで、自動的にパチンコ玉収容箱内のパチンコ玉をパチンコ玉計数機へ排出させることにより、重いパチンコ玉収容箱をパチンコ玉運搬用台車から移し換えるために持ち上げる必要がなく、パチンコ玉量が多量であっても計数処理が容易になるとともに、パチンコ玉の計数に要する処理時間が短時間になる。しかも、台車本体にパチンコ玉収容箱を載置することによってパチンコ玉収容箱のシャッタ板を開放するとともに台車側シャッタによってパチンコ玉収容箱から流出するパチンコ玉を台車内に止めることにより、パチンコ玉収容箱のシャッタ板を開放するための駆動源を不要にし、簡単かつ安価な構成になる。さらに、パチンコ玉運搬用台車をパチンコ玉計数機の台車装填部へ装填する動作に連動して、台車側シャッタの係合部がパチンコ玉計数機の一部と当接し、台車側シャッタをスライド開放することにより、台車側シャッタを開放するための駆動源を不要にし、簡単かつ安価な構成になる。
【００１１】
請求項３記載のパチンコ玉運搬用台車は、底部にパチンコ玉の排出孔を有するとともにこの排出孔を開閉するシャッタ板およびこのシャッタ板を開閉する駆動作用を外部から受ける駆動受部を有するパチンコ玉収容箱を運搬し、パチンコ玉計数機の台車装填部へ装填されるパチンコ玉運搬用台車であって、前記パチンコ玉収容箱を搭載する台車本体と、この台車本体にパチンコ玉収容箱を搭載するときに前記駆動受部に係合して前記パチンコ玉収容箱のシャッタ板を開放させる作動部と、前記台車本体に搭載されたパチンコ玉収容箱の排出孔に臨んで開口し、パチンコ玉収容箱の排出孔から流出されるパチンコ玉を台車本体から放出させる台車側排出孔と、回転して前記台車側排出孔を開閉可能に設けられ、前記パチンコ玉計数機の有するラックギヤと噛合するピニオンギヤを有し、前記パチンコ玉計数機の台車装填部へ非装填時には前記台車側排出孔を閉塞するとともに、装填時には前記ピニオンギヤが前記パチンコ玉計数機のラックギヤと噛合し、装填動作に連動して回動することで前記台車側排出孔を開放する台車側シャッタと、この台車側シャッタを台車側排出孔の閉塞方向に付勢する弾性部材とを具備しているものである。
【００１２】
パチンコ玉運搬用台車で運搬してきたパチンコ玉収容箱をパチンコ玉運搬用台車ごとパチンコ玉計数機に装填するだけで、自動的にパチンコ玉収容箱内のパチンコ玉をパチンコ玉計数機へ排出させることにより、重いパチンコ玉収容箱をパチンコ玉運搬用台車から移し換えるために持ち上げる必要がなく、パチンコ玉量が多量であっても計数処理が容易になるとともに、パチンコ玉の計数に要する処理時間が短時間になる。しかも、台車本体にパチンコ玉収容箱を載置することによってパチンコ玉収容箱のシャッタ板を開放するとともに台車側シャッタによってパチンコ玉収容箱から流出するパチンコ玉を台車内に止めることにより、パチンコ玉収容箱のシャッタ板を開放するための駆動源を不要にし、簡単かつ安価な構成になる。さらに、パチンコ玉運搬用台車をパチンコ玉計数機の台車装填部へ装填する動作に連動して、台車側シャッタのピニオンギヤがパチンコ玉計数機のラックギヤと噛合し、台車側シャッタを回転開放することにより、台車側シャッタを開放するための駆動源を不要にし、簡単かつ安価な構成になる。
【００１３】
請求項４記載のパチンコ玉計数機は、請求項１ないし３いずれか記載のパチンコ玉運搬用台車の装填が可能な台車装填部と、この台車装填部へのパチンコ玉運搬用台車の装填動作に連動して台車側シャッタを開放方向へ移動させ、台車側排出孔を開放させるシャッタ開放手段と、前記台車装填部へ装填されるパチンコ玉運搬用台車の台車側排出孔から放出されるパチンコ玉を受け入れる受入口と、この受入口に受け入れたパチンコ玉を計数するパチンコ玉計数装置とを具備しているものである。
【００１４】
パチンコ玉運搬用台車で運搬してきたパチンコ玉収容箱をパチンコ玉運搬用台車ごとパチンコ玉計数機に装填するだけで、自動的にパチンコ玉収容箱内のパチンコ玉をパチンコ玉計数機へ排出させることにより、重いパチンコ玉収容箱をパチンコ玉運搬用台車から移し換えるために持ち上げる必要がなく、パチンコ玉量が多量であっても計数処理が容易になるとともに、パチンコ玉の計数に要する処理時間が短時間になる。
【００１５】
しかも、台車本体にパチンコ玉収容箱を載置することによってパチンコ玉収容箱のシャッタ板を開放するとともに台車側シャッタによってパチンコ玉収容箱から流出するパチンコ玉を台車内に止めることにより、パチンコ玉収容箱のシャッタ板を開放するための駆動源を不要にし、簡単かつ安価な構成になる。さらに、パチンコ玉運搬用台車をパチンコ玉計数機の台車装填部へ装填する動作に連動してシャッタ開放手段により台車側シャッタを開放することにより、台車側シャッタを開放するための駆動源を不要にし、簡単かつ安価な構成になる。
【００１６】
請求項５記載のパチンコ玉計数機は、請求項４記載のパチンコ玉計数機において、パチンコ玉計数装置は、受入口の底に傾斜状態に設けられ、最下層のパチンコ玉を傾斜方向に整列させるとともにその傾斜に沿って転動させる複数列の整列手段と、この複数列の整列手段との間にパチンコ玉１個が通過し得る間隔をあけて設けられ、前記整列手段に対向する側がパチンコ玉の転動方向と逆方向へ移動すべく回転する逆転ローラと、この逆転ローラの下流位置で前記複数列の整列手段毎に設けられ、転動するパチンコ玉の通過を検知するパチンコ玉計数センサとを備えているものである。
【００１７】
受入口に受け入れたパチンコ玉を複数列の整列手段の傾斜方向に沿って整列させるとともにその傾斜に沿って転動させ、複数列の整列手段との間にパチンコ玉１個が通過し得る間隔をあけた逆転ローラによって複数列の整列手段の傾斜に沿って転動するパチンコ玉を１層１列状態にして通過させ、逆転ローラの下流において複数列の整列手段毎のパチンコ玉計数センサでパチンコ玉を検知することにより、簡単かつ安価な構成となり、パチンコ玉を受入口に受け入れてから計数するまでのタイムラグが少なくなる。
【００１８】
【発明の実施の形態】
以下、本発明の一実施の形態を図面を参照して説明する。
【００１９】
図１ないし図５に第１の実施の形態を示す。
【００２０】
図１(a)はパチンコ玉収容箱をパチンコ玉運搬用台車に搭載する前の状態の一部の断面図、図１(b)はパチンコ玉収容箱をパチンコ玉運搬用台車に搭載した状態の一部の断面図、図１(c)はパチンコ玉運搬用台車をパチンコ玉計数機の台車装填部に装填する途中の状態の一部の断面図、図１(d)はパチンコ玉運搬用台車をパチンコ玉計数機の台車装填部に装填した状態の一部の断面図、図２はパチンコ玉計数機およびパチンコ玉運搬用台車の斜視図、図３はパチンコ玉計数装置を用いたパチンコ玉計数機にパチンコ玉運搬用台車を装填した状態の断面図、図４はパチンコ玉計数装置の一部の断面図、図５は図４のＡ矢視図である。
【００２１】
図１および図３において、１はパチンコ玉収容箱（以下、玉箱という）で、この玉箱１は、上面を開口した横長箱状に形成され、内部にパチンコ玉Ｐが多数収容される。玉箱１の底部には、排出孔２が形成されているとともに、この排出孔２を開閉するシャッタ板３が配設されている。シャッタ板３は、図示しないスプリングによって排出孔２を閉塞する方向に付勢されているとともに、玉箱１の外部に臨む駆動受部４を上昇移動させることによって開放可能に構成されている。
【００２２】
なお、玉箱１は上下方向に積み重ねた際に互いに重なり合うように構成され、玉箱１の内壁面には上側に重なった玉箱１の駆動受部４を相対的に上昇させる図示しないリブ状の作動部（後述する作動部21と同様）が形成されている。
【００２３】
図１ないし図３において、11はパチンコ玉運搬用台車（以下、台車という）で、この台車11は、玉箱１を搭載する台車本体12を有している。この台車本体12は、前後方向に縦長に形成され、玉箱１の幅より広い間隔でほぼ平行に離間対向された両側の側枠部13、およびこの両側の側枠部13の上面に固定された上面板14を有し、これら両側の側枠部13間でかつ上面板14の下側に前後方向および下方に開口する台車空間15が形成されている。各側枠部13の前後部には走行用の車輪16，17がそれぞれ取り付けられ、上面板14の後端にはハンドル18が立設されている。
【００２４】
上面板14の上方は玉箱１を搭載する玉箱搭載部19として構成され、この玉箱搭載部19の両側位置に、一対の保持部材20が立設されている。この各保持部材20は、玉箱１の下部側が進入可能な間隔でほぼ平行に配設され、玉箱１の両側部分が載置されることにより、その玉箱１を玉箱搭載部19の所定位置に位置決め保持するように構成されている。
【００２５】
両側の保持部材20の相対する内側には、両側の保持部材20上に搭載される玉箱１の駆動受部４に係合するとともにその駆動受部４を相対的に上昇移動させてシャッタ板３を開放させるリブ状の作動部21が突設されている。
【００２６】
上面板14の両側の保持部材20間には、これら保持部材20によって所定位置に保持された玉箱１の排出孔２の下方域に対応して台車側排出孔22が開放形成されている。
【００２７】
上面板14の下側には、台車側排出孔22を開閉する台車側シャッタ23が配設されている。台車側シャッタ23には、両側の縁部から支持片24が下方折曲され、この両側の支持片24に複数のガイドローラ25が回転自在に軸支されている。この両側の支持片24の複数のガイドローラ25が両側の側枠部13の相対する内面に前後方向に沿って配設されるスライドガイド26に転動可能に係合されることにより、台車側シャッタ23が台車本体12に対して前後方向にスライド可能すなわち台車側排出孔22を開閉可能に構成されている。台車側シャッタ23の下面には断面ほぼＬ字形の係合部27が取り付けられている。
【００２８】
台車側シャッタ23の両側の支持片24の前端部と両側の側枠部13との間に弾性部材としてのスプリング28がそれぞれ張設され、これらスプリング28の引張力によって台車側シャッタ23が前方へ付勢されている。そのため、台車11を後述するパチンコ玉計数機31の台車装填部34に装填していない状態では、図１(a)(b)(c)および図２に示すように、台車側シャッタ23が前方へ移動して台車側排出孔22が閉塞され、また、詳細は後述するが、図１(c)および図３に示すように、台車11の台車装填部34への装填動作に連動して、台車側シャッタ23が後方へ移動して台車側排出孔22が開放される。
【００２９】
両側のスプリング28は両側の側枠部13に取り付けられるカバー29によって覆われており、カバー29の前端には側枠部13の外側方へ向けて拡開する傾斜面が形成され、この傾斜面が後述するパチンコ玉受入台部36の外側に装填される際のガイド面30として構成されている。
【００３０】
図１ないし図３において、31はパチンコ玉計数機で、このパチンコ玉計数機31は、縦形の計数機本体32を有し、この計数機本体32の両側から前方に両側の台車ガイド33が突出され、この両側の台車ガイド33間に前方から台車11を装填可能とする台車装填部34が形成されている。両側の台車ガイド33の対向間隔は、台車11の台車本体12の幅より少し広い程度に形成されており、台車11の台車本体12の装填を許容するとともに台車11の台車本体12の幅方向を位置決め規制するように構成されている。
【００３１】
計数機本体32の前面下部には、台車装填部34に装填される台車11の台車本体12の前面が当接して、その台車11の装填方向の位置を位置決め規制する規制面35が形成されている。この規制面35からは前方の台車装填部34内に突出して台車11の台車空間15内に相対的に進入されるパチンコ玉受入台部36が形成されている。パチンコ玉受入台部36の前端面には、台車装填部34への台車11の装填によって台車側シャッタ23の係合部27が当接するシャッタ開放手段としての当接部37が形成されている。このパチンコ玉受入台部36の上面には、台車11の台車側排出孔22の下方域に対応してその台車側排出孔22から放出されるパチンコ玉Ｐを受け入れる受入口38が形成されている。
【００３２】
また、パチンコ玉受入台部36内には、パチンコ玉計数装置41が配設されている。パチンコ玉計数装置41は、受入口38を通じて落下するパチンコ玉Ｐを受け入れる受入部42を有し、この受入部42の底面に後方へ向けて下降傾斜するシュート43が配設されている。
【００３３】
シュート43は、図４および図５に示すように、傾斜板44を有し、この傾斜板44の上面には傾斜方向に沿って延びるとともに傾斜方向と交差する傾斜板44の幅方向に並列に複数のガイドリブ45が突設され、これら隣接するガイドリブ45間にパチンコ玉Ｐを１個ずつ受け入れる間隔を有する複数列の整列手段としての溝部46が形成されている。したがって、シュート43の複数列の溝部46によって、受入部42内の最下層のパチンコ玉Ｐを受け入れて傾斜方向に整列させるとともに、その傾斜に沿って後方へ転動させることができる。
【００３４】
シュート43の下流側上方には、シュート43の傾斜方向と交差する幅方向に沿って回転軸が配設される逆転ローラ47が回転可能に配設されている。この逆転ローラ47は、シュート43の幅方向全域にわたって対向されるとともに、溝部46内を転動するパチンコ玉Ｐ１個が通過し得る間隔をあけて対向されており、シュート43に対向する周面がパチンコ玉Ｐの転動方向と逆方向（図４矢印方向）へ移動すべく図示しない駆動手段で回転駆動される。
【００３５】
逆転ローラ47の下流位置において、溝部46内を転動するパチンコ玉Ｐ１個が通過し得る間隔をあけてシュート43の上方に対向されるガイド板48が配設され、さらに、シュート43の各溝部46内に底面に検知孔49が形成されているとともに、この検知孔49に対向するガイド板48の位置に検知孔50が対応して形成されている。対となる各検知孔49，50の溝部46毎に対応して、各溝部46内を転動するパチンコ玉Ｐの通過を検知する複数のパチンコ玉計数センサ51が配設されている。このパチンコ玉計数センサ51は、シュート43の検知孔49の下面に配設される投光器52、およびガイド板48の検知孔50の上面に配設される受光器53を有するフォトインタラプタによって構成されている。複数の投光器52および複数の受光器53はそれぞれセンサブロック54，55として一体的に構成されている。
【００３６】
このパチンコ玉計数センサ51の光軸は、パチンコ玉Ｐの中心から外れた位置を通るように構成することにより、溝部46内を複数のパチンコ玉Ｐが連続して転動してきた場合でも検知することができる。
【００３７】
シュート43の最下流部は後述するローラ66の周面に沿って湾曲状とされる湾曲部56が形成されている。
【００３８】
また、計数機本体32内には、シュート43で導かれたパチンコ玉Ｐを揚送する揚送装置61が配設されている。この揚送装置61は、計数機本体32の前面に対してほぼ平行状にベルト面が配設される一対の平ベルト62，63を有し、これら各平ベルト62，63は上部のローラ64，65および下部のローラ66，67によってそれぞれ張設されている。一対の平ベルト62，63の互いに対向するベルト面の間隔はパチンコ玉Ｐの直径より小さい間隔とされ、シュート43の湾曲部56を通じて導かれるパチンコ玉Ｐを一対の平ベルト62，63間に挟持して揚送可能とする。
【００３９】
上部の各ローラ64，65には互いに噛合するギヤ68，69が固定され、一方のローラ64がモータ70から回転駆動力を受けることにより、ギヤ68，69の噛合を介して、一対の平ベルト62，63の互いに対向するベルト面が同期して上昇移動するように回動される。
【００４０】
一対の平ベルト62，63の上端部間に臨んで揚送されてきたパチンコ玉Ｐが放出される放出部71が形成され、この放出部71には計数機本体32の後方に突出する排出シュート72が配設され、この排出シート72はパチンコ玉Ｐを回収する図示しないパチンコ玉回収部に接続されている。
【００４１】
また、計数機本体32の上部には操作パネル81が配設され、この操作パネル81には、計数スタートを指示するスタートボタン82、計数ストップを指示するストップボタン83、パチンコ玉Ｐの計数値などを表示する表示部84が配設されている。
【００４２】
次に、本実施の形態の作用を説明する。
【００４３】
図１(a)に示すように、玉箱１は、台車11に装填していない状態でシャッタ板３が閉状態にあり、パチンコ玉Ｐを収容可能とする。また、台車11は、パチンコ玉計数機31の台車装填部34に装填していない状態で台車側シャッタ23が閉状態にある。
【００４４】
そして、図１(b)に示すように、パチンコ玉Ｐを収容した玉箱１を台車11に搭載すると、玉箱１の駆動受部４が台車11の作動部21で相対的に上昇移動し、玉箱１のシャッタ板３が開放される。これにより、玉箱１の排出孔２から玉箱１の底部のパチンコ玉Ｐの一部が台車11の台車側排出孔22に排出されるが、台車側排出孔22は台車側シャッタ23によって閉塞されているため、台車側シャッタ23によってパチンコ玉Ｐの流出が止められる。
【００４５】
図１(c)に示すように、玉箱１を搭載した台車11を走行させてパチンコ玉計数機31の台車装填部34に装填していくと、台車装填部34のパチンコ玉受入台部36に対して台車本体12の台車空間15が相対的に進入していき、その装填途中で台車側シャッタ23の係合部27がパチンコ玉受入台部36の当接部37に当接し、台車側シャッタ23の移動が規制される。
【００４６】
図１(d)に示すように、移動が規制された台車側シャッタ23を残して台車11が台車装填部34へ装填されていくと、相対的に台車側シャッタ23が開放されて台車側排出孔22が開き始め、台車11の装填完了時点で台車側シャッタ23が全開状態となる。そのため、台車側シャッタ23の開放に伴って、今まで止められていたパチンコ玉Ｐが台車側排出孔22を通じてパチンコ玉受入台部36の受入口38に流出し、パチンコ玉計数装置41の受入部42内に受け入れられる。
【００４７】
そして、パチンコ玉計数機31のスタートボタン82を操作すると、逆転ローラ47が回転されているとともに、モータ70によって一対の平ベルト62，63が回転される。なお、図示しないセンサによって台車11が装填される過程、つまりパチンコ玉Ｐが受入部42に受け入れられる前の時点で検知すると、計数処理を開始するようにしてもよい。
【００４８】
受入部42に受け入れられたパチンコ玉Ｐは、シュート43の複数列の溝部46に進入しながら傾斜方向に整列されるとともに、その傾斜に沿って後方へ転動される。溝部46内を転動されるパチンコ玉Ｐ上に重なったパチンコ玉Ｐは逆転ローラ47によって受入部42内に戻され、パチンコ玉Ｐが１層１列状態で各溝部46内を転動されて逆転ローラ47の下を通過される。
【００４９】
逆転ローラ47の下を通過して各溝部46内を転動するパチンコ玉Ｐは、各溝部46毎のパチンコ玉計数センサ51に到達し、これらのパチンコ玉計数センサ51でパチンコ玉Ｐの通過を検知して計数する。
【００５０】
計数後のパチンコ玉Ｐは、シュート43の最下流の湾曲部56を通じて一対の平ベルト62，63間に導かれ、一対の平ベルト62，63間に挟持されて揚送され、放出部71に放出されて回収される。
【００５１】
また、パチンコ玉Ｐを流出させて計数した後、台車11をパチンコ玉計数機31の台車装填部34から後退させていくと、スプリング28の付勢で台車側シャッタ23が閉じられ、台車側排出孔22が閉塞される。
【００５２】
以上のように、台車11で運搬してきた玉箱１を台車11ごとパチンコ玉計数機31に装填するだけで、自動的に玉箱１内のパチンコ玉Ｐをパチンコ玉計数機31へ排出させることができ、重い玉箱１を台車11から移し換えるために持ち上げる必要がなく、パチンコ玉量が多量であっても容易に計数処理できるとともに、パチンコ玉Ｐの計数に要する処理時間を短時間にできる。
【００５３】
しかも、台車本体12に玉箱１を載置することによって玉箱１のシャッタ板３を開放するとともに台車側シャッタ23によって玉箱１から流出するパチンコ玉Ｐを台車11内に止めることができるので、玉箱１のシャッタ板３を開放するための駆動源を不要にでき、簡単かつ安価に構成できる。さらに、台車11をパチンコ玉計数機31の台車装填部34へ装填する動作に連動して台車側シャッタ23を開放することができるので、台車側シャッタ23を開放するための駆動源を不要にでき、簡単かつ安価に構成できる。
【００５４】
また、受入部42に受け入れたパチンコ玉Ｐを複数列の溝部46の傾斜方向に沿って整列させるとともにその傾斜に沿って転動させ、複数列の溝部46との間にパチンコ玉Ｐ１個が通過し得る間隔をあけた逆転ローラ47によって複数列の溝部46の傾斜に沿って転動するパチンコ玉Ｐを１層１列状態にして通過させ、逆転ローラ47の下流において複数列の溝部46毎のパチンコ玉計数センサ51でパチンコ玉Ｐを検知するため、簡単かつ安価な構成により、パチンコ玉Ｐを受入部42に受け入れてから計数するまでのタイムラグを少なくできる。
【００５５】
次に、図６に第２の実施の形態を示し、図６(a)はパチンコ玉収容箱をパチンコ玉運搬用台車に搭載する前の状態の一部の断面図、図６(b)はパチンコ玉収容箱をパチンコ玉運搬用台車に搭載した状態の一部の断面図、図６(c)はパチンコ玉運搬用台車をパチンコ玉計数機の台車装填部に装填した状態の一部の断面図である。
【００５６】
なお、第１の実施の形態と同様の構造および作用効果については、同一符号を用いてその説明を省略する。
【００５７】
台車11には、台車本体12の上面板14に受入口91が形成されるとともに、上面板14の下側に受入口91から受け入れたパチンコ玉Ｐを前方へ導くシュート92が配設され、このシュート92の前端すなわち台車本体12の前面に台車側排出孔93が形成されている。この台車側排出孔93には、この台車側排出孔93を開閉する台車側シャッタ94がシャッタ軸95を支点として回動可能に配設されている。シャッタ軸95には、台車側シャッタ94を閉塞方向に付勢する図示しない弾性部材としてのねじりばねが装着されているとともに、シャッタ軸95の少なくとも一端にはピニオンギヤ96が固定されている。
【００５８】
また、パチンコ玉計数機31には、計数機本体32の前面下部に台車11からパチンコ玉Ｐを受け入れる受入口97が形成され、この受入口97の下側には受け入れたパチンコ玉Ｐを内部のパチンコ玉計数装置41に導くシュート98が配設されている。シュート98の先端は計数機本体32の前方の台車装填部34に突出され、台車11の台車空間15に相対的に進入して台車11を位置決めするように構成されている。
【００５９】
受入口97の側部近傍には台車装填部34に装填される台車11のピニオンギヤ96の位置に対応してシャッタ開放手段としての開放レバー99が突設され、この開放レバー99の下縁にピニオンギヤ96と噛合可能とするラックギヤ100が突設されている。
【００６０】
そして、図６(a)に示すように、玉箱１は、台車11に装填していない状態でシャッタ板３が閉状態にあり、パチンコ玉Ｐを収容可能とする。また、台車11は、パチンコ玉計数機31の台車装填部34に装填していない状態で台車側シャッタ94が台車側排出孔93の閉状態にある。
【００６１】
図６(b)に示すように、パチンコ玉Ｐを収容した玉箱１を台車11に搭載すると、玉箱１の駆動受部４が台車11の作動部21で相対的に上昇移動し、玉箱１のシャッタ板３が開放される。これにより、玉箱１内のパチンコ玉Ｐが、玉箱１の排出孔２から台車11の受入口91に流出し、シュート92を通じて前方の台車側排出孔93へ導かれるが、台車側排出孔93は台車側シャッタ94によって閉塞されているため、台車側シャッタ94によってパチンコ玉Ｐの流出が止められる。
【００６２】
玉箱１を搭載した台車11を走行させてパチンコ玉計数機31の台車装填部34に装填していくと、開放レバー99のラックギヤ100が台車11のピニオンギヤ96に噛合し、この噛合に伴って台車側シャッタ94が前方へ開放されていく。
【００６３】
図６(c)に示すように、台車11の装填完了時点で台車側シャッタ94が全開状態となる。そのため、台車側シャッタ94の開放に伴って、今まで止められていたパチンコ玉Ｐが台車側排出孔93を通じてパチンコ玉計数機31の受入口97に流出し、シュート98を通じてパチンコ玉計数装置41に受け入れられ、パチンコ玉計数装置41による計数処理が行なわれる。
【００６４】
また、パチンコ玉Ｐを流出させて計数した後、台車11をパチンコ玉計数機31の台車装填部34から後退させていくと、ピニオンギヤ96とラックギヤ100との噛合を介して、台車側シャッタ94が閉じられ、台車側排出孔93が閉塞されるとともに、シャッタ軸95に装着された図示しないねじりばねの付勢によって台車側シャッタ94が閉塞状態に保持される。
【００６５】
【発明の効果】
請求項１記載のパチンコ玉運搬用台車によれば、パチンコ玉運搬用台車で運搬してきたパチンコ玉収容箱をパチンコ玉運搬用台車ごとパチンコ玉計数機に装填するだけで、自動的にパチンコ玉収容箱内のパチンコ玉をパチンコ玉計数機へ排出させることができ、重いパチンコ玉収容箱をパチンコ玉運搬用台車から移し換えるために持ち上げる必要がなく、パチンコ玉量が多量であっても容易に計数処理できるとともに、パチンコ玉の計数に要する処理時間を短時間にできる。しかも、台車本体にパチンコ玉収容箱を載置することによってパチンコ玉収容箱のシャッタ板を開放するとともに台車側シャッタによってパチンコ玉収容箱から流出するパチンコ玉を台車内に止めることができるので、パチンコ玉収容箱のシャッタ板を開放するための駆動源を不要にでき、簡単かつ安価に構成できる。さらに、パチンコ玉運搬用台車をパチンコ玉計数機の台車装填部へ装填する動作に連動して台車側シャッタを開放することができるので、台車側シャッタを開放するための駆動源を不要にでき、簡単かつ安価に構成できる。
【００６６】
請求項２記載のパチンコ玉運搬用台車によれば、パチンコ玉運搬用台車で運搬してきたパチンコ玉収容箱をパチンコ玉運搬用台車ごとパチンコ玉計数機に装填するだけで、自動的にパチンコ玉収容箱内のパチンコ玉をパチンコ玉計数機へ排出させることができ、重いパチンコ玉収容箱をパチンコ玉運搬用台車から移し換えるために持ち上げる必要がなく、パチンコ玉量が多量であっても容易に計数処理できるとともに、パチンコ玉の計数に要する処理時間を短時間にできる。しかも、台車本体にパチンコ玉収容箱を載置することによってパチンコ玉収容箱のシャッタ板を開放するとともに台車側シャッタによってパチンコ玉収容箱から流出するパチンコ玉を台車内に止めることができるので、パチンコ玉収容箱のシャッタ板を開放するための駆動源を不要にでき、簡単かつ安価に構成できる。さらに、パチンコ玉運搬用台車をパチンコ玉計数機の台車装填部へ装填する動作に連動して、台車側シャッタの係合部がパチンコ玉計数機の一部と当接し、台車側シャッタをスライド開放することができるので、台車側シャッタを開放するための駆動源を不要にでき、簡単かつ安価に構成できる。
【００６７】
請求項３記載のパチンコ玉運搬用台車によれば、パチンコ玉運搬用台車で運搬してきたパチンコ玉収容箱をパチンコ玉運搬用台車ごとパチンコ玉計数機に装填するだけで、自動的にパチンコ玉収容箱内のパチンコ玉をパチンコ玉計数機へ排出させることができ、重いパチンコ玉収容箱をパチンコ玉運搬用台車から移し換えるために持ち上げる必要がなく、パチンコ玉量が多量であっても容易に計数処理できるとともに、パチンコ玉の計数に要する処理時間を短時間にできる。しかも、台車本体にパチンコ玉収容箱を載置することによってパチンコ玉収容箱のシャッタ板を開放するとともに台車側シャッタによってパチンコ玉収容箱から流出するパチンコ玉を台車内に止めることができるので、パチンコ玉収容箱のシャッタ板を開放するための駆動源を不要にでき、簡単かつ安価に構成できる。さらに、パチンコ玉運搬用台車をパチンコ玉計数機の台車装填部へ装填する動作に連動して、台車側シャッタのピニオンギヤがパチンコ玉計数機のラックギヤと噛合し、台車側シャッタを回転開放することができるので、台車側シャッタを開放するための駆動源を不要にでき、簡単かつ安価に構成できる。
【００６８】
請求項４記載のパチンコ玉計数機によれば、パチンコ玉運搬用台車で運搬してきたパチンコ玉収容箱をパチンコ玉運搬用台車ごとパチンコ玉計数機に装填するだけで、自動的にパチンコ玉収容箱内のパチンコ玉をパチンコ玉計数機へ排出させることができ、重いパチンコ玉収容箱をパチンコ玉運搬用台車から移し換えるために持ち上げる必要がなく、パチンコ玉量が多量であっても容易に計数処理できるとともに、パチンコ玉の計数に要する処理時間を短時間にできる。しかも、台車本体にパチンコ玉収容箱を載置することによってパチンコ玉収容箱のシャッタ板を開放するとともに台車側シャッタによってパチンコ玉収容箱から流出するパチンコ玉を台車内に止めることができるので、パチンコ玉収容箱のシャッタ板を開放するための駆動源を不要にでき、簡単かつ安価に構成できる。さらに、パチンコ玉運搬用台車をパチンコ玉計数機の台車装填部へ装填する動作に連動してシャッタ開放手段により台車側シャッタを開放することができるので、台車側シャッタを開放するための駆動源を不要にでき、簡単かつ安価に構成できる。
【００６９】
請求項５記載のパチンコ玉計数機によれば、請求項４記載のパチンコ玉計数機の効果に加えて、受入口に受け入れたパチンコ玉を複数列の整列手段の傾斜方向に沿って整列させるとともにその傾斜に沿って転動させ、複数列の整列手段との間にパチンコ玉１個が通過し得る間隔をあけた逆転ローラによって複数列の整列手段の傾斜に沿って転動するパチンコ玉を１層１列状態にして通過させ、逆転ローラの下流において複数列の整列手段毎のパチンコ玉計数センサでパチンコ玉を検知するため、簡単かつ安価な構成により、パチンコ玉を受入口に受け入れてから計数するまでのタイムラグを少なくできる。
【図面の簡単な説明】
【図１】  本発明の第１の実施の形態を示し、(a)はパチンコ玉収容箱をパチンコ玉運搬用台車に搭載する前の状態の一部の断面図、(b)はパチンコ玉収容箱をパチンコ玉運搬用台車に搭載した状態の一部の断面図、(c)はパチンコ玉運搬用台車をパチンコ玉計数機の台車装填部に装填する途中の状態の一部の断面図、(d)はパチンコ玉運搬用台車をパチンコ玉計数機の台車装填部に装填した状態の一部の断面図である。
【図２】  同上パチンコ玉計数機およびパチンコ玉運搬用台車の斜視図である。
【図３】  同上パチンコ玉計数機にパチンコ玉運搬用台車を装填した状態の断面図である。
【図４】  同上パチンコ玉計数装置の一部の断面図である。
【図５】  同上図４のＡ矢視図である。
【図６】  本発明の第２の実施の形態を示し、(a)はパチンコ玉収容箱をパチンコ玉運搬用台車に搭載する前の状態の一部の断面図、(b)はパチンコ玉収容箱をパチンコ玉運搬用台車に搭載した状態の一部の断面図、(c)はパチンコ玉運搬用台車をパチンコ玉計数機の台車装填部に装填した状態の一部の断面図である。
【符号の説明】
１    パチンコ玉収容箱
２    排出孔
３    シャッタ板
４    駆動受部
11    パチンコ玉運搬用台車
12    台車本体
21    作動部
22    台車側排出孔
23    台車側シャッタ
27 係合部
28    弾性部材としてのスプリング
31    パチンコ玉計数機
34    台車装填部
37    シャッタ開放手段としての当接部
38    受入口
41    パチンコ玉計数装置
46    整列手段としての溝部
47    逆転ローラ
51    パチンコ玉計数センサ
93    台車側排出孔
94    台車側シャッタ
96 ピニオンギヤ
97    受入口
99    シャッタ開放手段としての開放レバー
100 ラックギヤ
Ｐ    パチンコ玉
【図１】
0004129999.tif 000002
【図２】
0004129999.tif 000003
【図３】
0004129999.tif 000004
【図４】
0004129999.tif 000005
【図５】
0004129999.tif 000006
【図６】
0004129999.tif 000007